【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
被写体を撮像する撮像部と、
前記被写体を撮像する撮像位置の位置情報又は前記被写体の画像データに基づいて前記被写体に関する情報を取得し、前記被写体の画像データと前記被写体に関する情報とを表示部に表示する制御部と、
ユーザアクションに基づきホールド制御信号を前記制御部に出力するホールド制御部と、を備え、
前記表示部に表示される前記被写体に関する情報は、少なくとも１つの拡張現実のオブジェクトを含み、
前記制御部は、前記ホールド制御信号を受信した場合、前記ユーザアクションの時に前記表示部に表示されている前記被写体の画像データと前記少なくとも１つの拡張現実のオブジェクトとを前記ユーザアクションの完了後にも前記表示部に表示し続けさせる、
撮像装置。
【請求項２】
前記制御部は、前記ユーザアクションの時と前記ユーザアクションの完了後との間で、前記表示部に表示されている前記被写体の画像データの内容、前記表示部に表示されている前記拡張現実の数、及び前記表示部に表示されている前記少なくとも１つの拡張現実のオブジェクトの配置のうち少なくとも１つが同じであるように、前記被写体の画像データと前記被写体に関する情報とを前記表示部に表示する請求項１に記載の撮像装置。
【請求項３】
前記制御部は、前記表示部に対する前記被写体に関する情報の表示及び非表示を切り替え可能である請求項１又は請求項２に記載の撮像装置。
【請求項４】
前記制御部は、前記被写体を撮像中において前記ホールド制御信号を受信した場合に、ホールドした前記被写体の画像データと前記被写体に関する情報とを前記表示部に表示する請求項１から請求項３のいずれか一項に記載の撮像装置。
【請求項５】
前記制御部は、前記ホールド制御信号に基づいてホールドした前記被写体に関する情報と前記被写体の画像データとを他端末へ送信する請求項１から請求項４のいずれか一項に記載の撮像装置。
【請求項６】
前記制御部は、前記ホールド制御信号を受信した場合に、前記被写体に関する情報を得たい方向に撮像方向を向けていない状態において、ホールドさせた前記被写体の画像データと前記被写体に関する情報とを前記表示部に表示する請求項１から請求項５のいずれか一項に記載の撮像装置。
【請求項７】
前記ホールド制御部は、前記被写体の画像データと前記被写体に関する情報とホールドするタイミングを検出する請求項１から請求項６のいずれか一項に記載の撮像装置。
【請求項８】
前記ホールド制御部は、前記撮像装置に対するモーション又は前記撮像装置のモーションによって出力される信号を検出し、前記ホールド制御信号を前記制御部に出力する請求項１から請求項７のいずれか一項に記載の撮像装置。
【請求項９】
前記制御部は、ホールドさせた前記被写体の画像データに対する新たな前記被写体に関する情報を送信可能である請求項１から請求項８のいずれか一項に記載の撮像装置。
【請求項１０】
ホールドした前記被写体の画像データに対応する前記被写体までの経路を案内するナビゲーション部を備える請求項１から請求項９のいずれか一項に記載の撮像装置。
【請求項１１】
前記被写体の画像データと前記被写体に関する情報とを記憶する記憶部を備える請求項１から請求項１０のいずれか一項に記載の撮像装置。
【請求項１２】
緯度経度情報を検出する緯度経度検出部と、
建造物を撮像している方位角を検出する方位角検出部と、
前記緯度経度情報における前記方位角の方向の緯度経度範囲に位置する建造物に関するＡＲ情報を、当該緯度経度情報及び当該方位角により取得し、表示部に表示する制御部と、
前記ＡＲ情報を記憶部に記憶させるユーザアクションを検知すると、前記ＡＲ情報と前記建造物の画像データとを記憶部に記憶させるホールド制御信号を、前記制御部に対して出力するホールド制御部と、
を備え、
前記表示部に表示される前記ＡＲ情報は、少なくとも１つの拡張現実のオブジェクトを含み、
前記制御部は、前記ホールド制御信号を受信した場合、前記ユーザアクションの時に前記表示部に表示されている前記画像データと前記少なくとも１つの拡張現実のオブジェクトとを前記ユーザアクションの完了後にも前記表示部に表示し続けさせる、
撮像装置。
【請求項１３】
前記制御部は、
前記ホールド制御部から前記ホールド制御信号が入力されると、当該ホールド制御信号が入力された際に、前記画像データを撮像していた自身の位置の前記緯度経度情報及び前記方位角を、前記画像データを識別する画像識別情報を付加して前記記憶部に記憶させる請求項１２に記載の撮像装置。
【請求項１４】
前記制御部は、
前記ホールド制御部から前記ホールド制御信号が入力されると、当該ホールド制御信号が入力された際に、前記表示部に表示していた前記画像データ及び当該画像データに対応する前記ＡＲ情報を、当該画像データを識別する画像識別情報を付加して前記記憶部に記憶させる請求項１２記載の撮像装置。
【請求項１５】
前記記憶部は、前記画像データ毎に
前記画像データを識別する画像識別情報、画像データ内の建造物を識別する建造物識別情報、当該建造物識別情報の示す建造物の建造物情報、当該画像識別情報に付加されたユーザＩＤとから構成されている
請求項１２から請求項１４のいずれか一項に記載の撮像装置。
【請求項１６】
前記制御部は、前記記憶部から前記ＡＲ情報及び前記画像データを読み出して前記表示部に表示させる、
請求項１２から請求項１５のいずれか一項に記載の撮像装置。
【請求項１７】
前記制御部は、撮像状態において付加された前記ＡＲ情報を情報検索システムへ送信する請求項１２から請求項１６のいずれか一項に記載の撮像装置。
【請求項１８】
撮像装置と情報検索システムとを備え、
前記撮像装置は、請求項１から請求項１７のいずれか一項に記載の撮像装置である、
情報取得システム。
【請求項１９】
建造物と前記建造物に関するＡＲ情報とを対応させた建造物テーブルが記憶されたデータベースと、
前記ＡＲ情報を受信し、前記建造物の画像データと前記ＡＲ情報とを表示部に表示する制御部と、ユーザアクションに基づきホールド制御信号を前記制御部に出力するホールド制御部と、を備え、前記表示部に表示される前記ＡＲ情報は、少なくとも１つの拡張現実のオブジェクトを含み、前記制御部は、前記ホールド制御信号を受信した場合、前記ユーザアクションの時に前記表示部に表示されている前記建造物の画像データと前記拡張現実のオブジェクトとを前記ユーザアクションの完了後にも前記表示部に表示し続けさせる、撮像装置から送信された前記撮像装置の位置の緯度経度情報と前記画像データを撮像している方位角とにより、当該緯度経度情報における当該方位角の方向の緯度経度範囲に位置する建造物に関する前記ＡＲ情報を前記建造物テーブルから読み出し、読み出した前記ＡＲ情報を前記撮像装置に送信する、
情報検索サーバ。
【請求項２０】
前記建造物に対する新たな前記ＡＲ情報を前記データベースに書き込み可能である請求項１９に記載の情報検索サーバ。
【請求項２１】
少なくとも１つの拡張現実のオブジェクトを含む被写体に関する情報を記憶するデータベースと、
前記被写体を撮像する撮像位置の位置情報又は前記被写体の画像データに基づいて前記被写体に関する情報を受信し、前記被写体の画像データと前記被写体に関する情報とを表示部に表示させる制御部と、ユーザアクションに基づきホールド制御信号を前記制御部に出力するホールド制御部と、を備え、前記制御部は、前記ホールド制御信号を受信した場合、前記ユーザアクションの時に前記表示部に表示されている前記被写体の画像データと前記拡張現実のオブジェクトとを前記ユーザアクションの完了後にも前記表示部に表示し続けさせる、撮像装置から送信された前記位置情報又は前記被写体の画像データにより、前記被写体に関する情報を前記データベースから取得して前記被写体に関する情報を前記撮像装置に送信する、
情報検索サーバ。
【請求項２２】
表示部と、
被写体を撮像する撮像部と、
前記撮像部が撮像した前記被写体の画像データに基づいて前記被写体に関する情報を取得して、前記被写体の画像データと前記被写体に関する情報とを前記表示部に表示する制御部と、
前記被写体の画像データと前記被写体に関する情報とを前記表示部にホールドするホールド制御信号を前記制御部に出力するホールド制御部と、
を備える撮像装置。
【請求項２３】
撮像装置の機能をコンピュータに実行させるためのプログラムであり、
被写体を撮像した撮像位置の位置情報又は前記被写体の画像データを入力するステップと、
前記位置情報又は前記被写体の画像データに基づいて、少なくとも１つの拡張現実のオブジェクトを含む前記被写体に関する情報を取得するステップと、
前記被写体の画像データと前記被写体に関する情報とを表示部に表示するステップと、
ユーザアクションに基づき前記被写体の画像データと前記被写体に関する情報とをホールドするホールド制御信号を制御部に出力するステップと、
前記ホールド制御信号を受信した場合、前記ユーザアクションの時に前記表示部に表示されている前記被写体の画像データと前記少なくとも１つの拡張現実のオブジェクトとを前記ユーザアクションの完了後にも前記表示部に表示し続けさせるステップと、
をコンピュータに実行させるためのプログラム。
【請求項２４】
撮像装置の機能をコンピュータに実行させるためのプログラムであり、
緯度経度情報を入力するステップと、
建造物を撮像している方位角を入力するステップと、
前記緯度経度情報における前記方位角の方向の緯度経度範囲に位置する建造物に関するＡＲ情報を、当該緯度経度情報及び当該方位角により取得し、表示部に表示するステップと、
前記ＡＲ情報を記憶部に記憶させるユーザアクションを検知すると、前記ＡＲ情報と前記建造物の画像データとを前記記憶部に記憶させるホールド制御信号を、制御部に対して出力するステップと、
前記ホールド制御信号を受信した場合、前記ユーザアクションの時に前記表示部に表示されている前記画像データと前記少なくとも１つの拡張現実のオブジェクトとを前記ユーザアクションの完了後にも前記表示部に表示し続けさせるステップと、
をコンピュータに実行させるためのプログラム。
【手続補正２】
【補正対象書類名】明細書
【補正対象項目名】発明の名称
【補正方法】変更
【補正の内容】
【発明の名称】撮像装置、情報取得システム、情報検索サーバ、及びプログラム
【手続補正３】
【補正対象書類名】明細書
【補正対象項目名】０００１
【補正方法】変更
【補正の内容】
【０００１】
本発明は、被写体を撮像する際に、被写体を撮像する位置の情報を取得し、被写体と位置の情報とを対応付ける機能を有する撮像装置及びその情報を用いて被写体の情報を取得する撮像装置、情報取得システム、情報検索サーバ、及びプログラムに関する。
本願は、２０１０年２月８日に、日本に出願された特願２０１０−０２５９９８号に基づき優先権を主張し、その内容をここに援用する。
【手続補正４】
【補正対象書類名】明細書
【補正対象項目名】０００５
【補正方法】変更
【補正の内容】
【０００５】
本発明に係る態様は、ユーザの活動を充実させることが可能な撮像装置、情報取得システム、情報検索サーバ、及びプログラムを提供することを目的とする。
【手続補正５】
【補正対象書類名】明細書
【補正対象項目名】０００６
【補正方法】変更
【補正の内容】
【０００６】
本発明に係る態様における撮像装置は、被写体を撮像する撮像部と、前記被写体を撮像する撮像位置の位置情報又は前記被写体の画像データに基づいて前記被写体に関する情報を取得し、前記被写体の画像データと前記被写体に関する情報とを表示部に表示する制御部と、ユーザアクションに基づきホールド制御信号を前記制御部に出力するホールド制御部と、を備え、前記表示部に表示される前記被写体に関する情報は、少なくとも１つの拡張現実のオブジェクトを含み、前記制御部は、前記ホールド制御信号を受信した場合、前記ユーザアクションの時に前記表示部に表示されている前記被写体の画像データと前記少なくとも１つの拡張現実のオブジェクトとを前記ユーザアクションの完了後にも前記表示部に表示し続けさせる、撮像装置である。
また、本発明に係る態様における撮像装置は、緯度経度情報を検出する緯度経度検出部と、建造物を撮像している方位角を検出する方位角検出部と、前記緯度経度情報における前記方位角の方向の緯度経度範囲に位置する建造物に関するＡＲ情報を、当該緯度経度情報及び当該方位角により取得し、表示部に表示する制御部と、前記ＡＲ情報を記憶部に記憶させるユーザアクションを検知すると、前記ＡＲ情報と前記建造物の画像データとを記憶部に記憶させるホールド制御信号を、前記制御部に対して出力するホールド制御部と、を備え、前記表示部に表示される前記ＡＲ情報は、少なくとも１つの拡張現実のオブジェクトを含み、前記制御部は、前記ホールド制御信号を受信した場合、前記ユーザアクションの時に前記表示部に表示されている前記画像データと前記少なくとも１つの拡張現実のオブジェクトとを前記ユーザアクションの完了後にも前記表示部に表示し続けさせる、撮像装置である。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明に係る態様における情報検索サーバは、建造物と前記建造物に関するＡＲ情報とを対応させた建造物テーブルが記憶されたデータベースと、前記ＡＲ情報を受信し、前記建造物の画像データと前記ＡＲ情報とを表示部に表示する制御部と、ユーザアクションに基づきホールド制御信号を前記制御部に出力するホールド制御部と、を備え、前記表示部に表示される前記ＡＲ情報は、少なくとも１つの拡張現実のオブジェクトを含み、前記制御部は、前記ホールド制御信号を受信した場合、前記ユーザアクションの時に前記表示部に表示されている前記建造物の画像データと前記拡張現実のオブジェクトとを前記ユーザアクションの完了後にも前記表示部に表示し続けさせる、撮像装置から送信された前記撮像装置の位置の緯度経度情報と前記画像データを撮像している方位角とにより、当該緯度経度情報における当該方位角の方向の緯度経度範囲に位置する建造物に関する前記ＡＲ情報を前記建造物テーブルから読み出し、読み出した前記ＡＲ情報を前記撮像装置に送信する、情報検索サーバである。
また、本発明に係る態様における情報検索サーバは、少なくとも１つの拡張現実のオブジェクトを含む被写体に関する情報を記憶するデータベースと、前記被写体を撮像する撮像位置の位置情報又は前記被写体の画像データに基づいて前記被写体に関する情報を受信し、前記被写体の画像データと前記被写体に関する情報とを表示部に表示させる制御部と、ユーザアクションに基づきホールド制御信号を前記制御部に出力するホールド制御部と、を備え、前記制御部は、前記ホールド制御信号を受信した場合、前記ユーザアクションの時に前記表示部に表示されている前記被写体の画像データと前記拡張現実のオブジェクトとを前記ユーザアクションの完了後にも前記表示部に表示し続けさせる、撮像装置から送信された前記位置情報又は前記被写体の画像データにより、前記被写体に関する情報を前記データベースから取得して前記被写体に関する情報を前記撮像装置に送信する、情報検索サーバである。
【手続補正８】
【補正対象書類名】明細書
【補正対象項目名】００１０
【補正方法】変更
【補正の内容】
【００１０】
本発明に係る態様における撮像装置は、表示部と、被写体を撮像する撮像部と、前記撮像部が撮像した前記被写体の画像データに基づいて前記被写体に関する情報を取得して、前記被写体の画像データと前記被写体に関する情報とを前記表示部に表示する制御部と、前記被写体の画像データと前記被写体に関する情報とを前記表示部にホールドするホールド制御信号を前記制御部に出力するホールド制御部と、を備える撮像装置である。
【手続補正９】
【補正対象書類名】明細書
【補正対象項目名】００１１
【補正方法】変更
【補正の内容】
【００１１】
本発明に係る態様におけるプログラムは、撮像装置の機能をコンピュータに実行させるためのプログラムであり、被写体を撮像した撮像位置の位置情報又は前記被写体の画像データを入力するステップと、前記位置情報又は前記被写体の画像データに基づいて、少なくとも１つの拡張現実のオブジェクトを含む前記被写体に関する情報を取得するステップと、前記被写体の画像データと前記被写体に関する情報とを表示部に表示するステップと、ユーザアクションに基づき前記被写体の画像データと前記被写体に関する情報とをホールドするホールド制御信号を制御部に出力するステップと、前記ホールド制御信号を受信した場合、前記ユーザアクションの時に前記表示部に表示されている前記被写体の画像データと前記少なくとも１つの拡張現実のオブジェクトとを前記ユーザアクションの完了後にも前記表示部に表示し続けさせるステップと、をコンピュータに実行させるためのプログラムである。
【手続補正１０】
【補正対象書類名】明細書
【補正対象項目名】００１２
【補正方法】変更
【補正の内容】
【００１２】
本発明に係る態様におけるプログラムは、撮像装置の機能をコンピュータに実行させるためのプログラムであり、緯度経度情報を入力するステップと、建造物を撮像している方位角を入力するステップと、前記緯度経度情報における前記方位角の方向の緯度経度範囲に位置する建造物に関するＡＲ情報を、当該緯度経度情報及び当該方位角により取得し、表示部に表示するステップと、前記ＡＲ情報を記憶部に記憶させるユーザアクションを検知すると、前記ＡＲ情報と前記建造物の画像データとを前記記憶部に記憶させるホールド制御信号を、制御部に対して出力するステップと、前記ホールド制御信号を受信した場合、前記ユーザアクションの時に前記表示部に表示されている前記画像データと前記少なくとも１つの拡張現実のオブジェクトとを前記ユーザアクションの完了後にも前記表示部に表示し続けさせるステップと、をコンピュータに実行させるためのプログラムである。
【手続補正１１】
【補正対象書類名】明細書
【補正対象項目名】００１３
【補正方法】変更
【補正の内容】
【００１３】
本発明に係る態様によれば、ユーザの活動を充実させることが可能な撮像装置、情報取得システム、情報検索サーバ、及びプログラムが提供される。